(57)【要約】      （修正有）【課題】型枠組立後、もしくは組立後のモルタル吹付け時に吹付圧力及びモルタル重量によりクリンプ金網が撓（たわ）む現象を防止するクリンプ金網を提供する。【解決手段】クリンプ金網１は、平板状のクリンプ金網と、クリンプ金網を向かい合わせ、クリンプ金網間に回動可能に一定間隔で架設したスペースタイで構成されるフレーム型枠において、波形状の連続した湾曲部を備えた縦線材４と、同様に波形状の連続した湾曲部を備えた横線材５とを、交互に編成して格子状網目に形成する。そして、格子状網目の横線材５に沿って、組立てた時に外側又は内側となる側に等間隔を置いて補強用鉄筋６を、複数列、溶接、接着、固定金具等により固定する。こうすることにより、クリンプ金網１は三重構造となり強度を増すことができる。【選択図】図４
0003185863.tif 000002
【実用新案登録請求の範囲】
【請求項１】
平板状のクリンプ金網と、該クリンプ金網を向かい合わせ、前記クリンプ金網間に回動可能に一定間隔で架設したスペースタイで構成されるフレーム型枠において、前記クリンプ金網は、波形状の連続した湾曲部を備えた縦線材と、同様に波形状の連続した湾曲部を備えた横線材とを、交互に編成して格子状網目に形成して、前記格子状網目の横線材に沿って、組立てた時に外側又は内側となる側に等間隔を置いて補強用鉄筋を複数列に固定することにより、三重構造とすることを特徴とするクリンプ金網。
【請求項２】
前記補強用鉄筋は、丸鋼、異形線を使用し、線径、本数は任意とすることを特徴とする請求項１記載のクリンプ金網。
【考案の詳細な説明】
【技術分野】
【０００１】
本考案は、法面工事に使用される土木資材でフレーム型枠のクリンプ金網に関する。
【背景技術】
【０００２】
従来、山の傾斜面等の法面には、法面を覆い押えて法面を安定させ、地滑り等を防止するようにした鉄筋コンクリート製の法枠構造体が設けられている。
この法枠構造体には、一般的に法枠用の型枠が用いられ、この法枠用型枠の構造としては、クリンプ金網で形成された平板状の枠体を向かい合わせ、線材を略井桁状や格子状に組んで形成された連結材を、上記枠体間に回動可能に架設したものである。
この法枠用型枠を法面に碁盤の目のように配設した後、前記法枠用型枠を埋めるようにモルタル類を打設することによって法枠構造体が形成される（特許文献１，２を参照）。
しかし、これらの法枠用型枠は、型枠組立後、もしくは組立後のモルタル吹付け時に吹付圧力及びモルタル重量によりクリンプ金網が撓（たわ）む現象を生じる。この現象を防止するために実際の施行時には、地山にアンカーを打ちそのアンカーに番線等で型枠を補強するという作業を強いられている。
現場の状況は、命綱一本で斜面にぶら下がりながら作業をしており、この補強作業は金網が撓まなければ本来必要のない作業である。
そのため、作業者の安全性向上・作業性向上の面から、撓み防止の改善等が従来から望まれていた。
【先行技術文献】
【特許文献】
【０００３】
【特許文献１】特開２００２−１４６７９９号公報
【特許文献２】特開平９−３９０７号公報
【考案の概要】
【考案が解決しようとする課題】
【０００４】
本考案は、型枠組立後、もしくは組立後のモルタル吹付け時に吹付圧力及びモルタル重量によりクリンプ金網が撓（たわ）む現象を防止するクリンプ金網を提供することを目的とする。
【課題を解決するための手段】
【０００５】
本考案のクリンプ金網は、平板状のクリンプ金網と、該クリンプ金網を向かい合わせ、前記クリンプ金網間に回動可能に一定間隔で架設したスペースタイで構成されるフレーム型枠において、波形状の連続した湾曲部を備えた縦線材と、同様に波形状の連続した湾曲部を備えた横線材とを、交互に編成して格子状網目に形成して、前記格子状網目の横線材に沿って、組立てた時に外側又は内側となる側に等間隔を置いて補強用鉄筋を複数列に固定することにより、三重構造とするものである。
前記補強用鉄筋は、平鋼・角型鋼・丸鋼、異形線等を使用し、線径、本数は任意とする。
【考案の効果】
【０００６】
本考案のクリンプ金網は、平板状のクリンプ金網と、該クリンプ金網を向かい合わせ、前記クリンプ金網間に回動可能に一定間隔で架設したスペースタイで構成されるフレーム型枠において、波形状の連続した湾曲部を備えた縦線材と、同様に波形状の連続した湾曲部を備えた横線材とを、交互に編成して格子状網目に形成して、前記格子状網目の横線材に沿って、組立てた時に外側又は内側となる側に等間隔を置いて補強用鉄筋を複数列に固定することにより、三重構造とするため、フレーム型枠組立後、もしくは組立後のモルタル吹付け時に吹付圧力及びモルタル重量によりクリンプ金網が撓（たわ）む現象を生じることがない。
【図面の簡単な説明】
【０００７】
【図１】本考案のクリンプ金網を使用したフレーム型枠の平面図である。
【図２】本考案のクリンプ金網を使用したフレーム型枠の側面図である。
【図３】図１のＡ−Ａ矢視断面図である。
【図４】本考案のクリンプ金網を使用したフレーム型枠の部分拡大斜視図である。
【考案を実施するための形態】
【０００８】
本考案のクリンプ金網の一実施例を添付図面に基づいて、以下に説明する。
図１の平面図に示すように、平板状のクリンプ金網１と、該クリンプ金網１を向かい合わせ、前記クリンプ金網１，１間に回動可能に一定間隔で架設したスペースタイ２で構成されるフレーム型枠３が、法面工事で使用される。
前記クリンプ金網１は、波形状の連続した湾曲部を備えた縦線材４と、同様に波形状の連続した湾曲部を備えた横線材５とを、交互に編成して格子状網目に形成する。そして、前記格子状網目の横線材５に沿って、組立てた時に外側又は内側となる側に等間隔を置いて補強用鉄筋６を、図２の側面図に示すように複数列、実施例においては４列に溶接、接着、固定金具等により固定する。こうすることにより、図１に示すように前記クリンプ金網１は、外側又は内側から縦線材４（又は横線材５）、横線材５（又は縦線材４）、補強用鉄筋６の三重構造となり強度を増すことができる。
また、前記補強用鉄筋６は、平鋼・角型鋼・丸鋼の他、異形線等を使用し、線径、本数は任意とし、鉄又は鉄をメッキしたものを標準とするが、これに限られない。
【０００９】
前記スペースタイ２は、図３のＡ−Ａ矢視断面図に示すように、直線状の縦鋼棒材７と直線状の横鋼棒材８とを垂直に交差させて略井桁状に組み、交差部分を溶接、接着等により固定し、前記横鋼棒材８の端部にリング９を形成して前記クリンプ金網１の縦線材４に支持させて回転可能にしたものである。
そして、前記クリンプ金網１，１間に前記スペースタイ２を一定間隔で回動可能に架設するものである。
【００１０】
このようにして形成された、本考案のクリンプ金網１は、図４の部分拡大斜視図に示すように、波形状の連続した湾曲部を備えた縦線材４と、同様に波形状の連続した湾曲部を備えた横線材５とを、交互に編成して格子状網目に形成して、前記格子状網目の横線材５に沿って、組立てた時に内側となる側に等間隔を置いて補強用鉄筋６を複数列に固定することにより、三重構造となりクリンプ金網１の強度を増すことができる。
【符号の説明】
【００１１】
１  クリンプ金網
２  スペースタイ
３  フレーム型枠
４  縦線材
５  横線材
６  補強用鉄筋
７  縦鋼棒材
８  横鋼棒材
９  リング
【図１】
0003185863.tif 000003
【図２】
0003185863.tif 000004
【図３】
0003185863.tif 000005
【図４】
0003185863.tif 000006